(57)【要約】【課題】簡単な構成で塗布液を塗布対象毛の部位に対して多様な塗布が可能である。【解決手段】液塗布具１は、キャップ１１に設けられ、キャップ内部から軸方向に延びる支持シャフト１２と、支持シャフト１２に着脱可能である交換シャフト１３と、交換シャフト１３の先端に設けられ、ブラシ毛材１４ａを有するブラシ部材１４と、を備え、ブラシ部材１４を設けた交換シャフト１３が、支持シャフト１２に対して交換可能である。【選択図】図１
2009213680.tif 000002
【特許請求の範囲】
【請求項１】
キャップに設けられ、キャップ内部から軸方向に延びる支持シャフトと、
前記支持シャフトに着脱可能である交換シャフトと、
前記交換シャフトの先端に設けられ、ブラシ毛材を有するブラシ部材と、
を備え、
前記ブラシ部材を設けた交換シャフトが、前記支持シャフトに対して交換可能であることを特徴とする液塗布具。
【請求項２】
前記交換シャフトには、異なる形態のブラシ部材が設けられ、
前記異なる形態のブラシ部材を設けた交換シャフトが、前記支持シャフトに対して交換可能であることを特徴とする請求項１に記載の液塗布具。
【発明の詳細な説明】
【技術分野】
【０００１】
この発明は、液塗布具に関し、特にマスカラブラシや毛染め用ブラシのように、塗布対象毛にマスカラや毛染め液等の塗布液を塗布する場合に適用して好適なものである。
【背景技術】
【０００２】
従来この種の液塗布具として、例えばマスカラブラシとして、ブラシに付着させたマスカラを、まつ毛に塗布するものが用いられている。
【０００３】
このマスカラブラシとしての液塗布具１００は、図１６に示すように、塗布液容器１０２の取出口１０３から、キャップ１０４に固着されたシャフト１０５の先端に設けられたブラシ本体１０６を出し入れすることで、塗布液容器１０２内の塗布液（マスカラ液）に浸してしごき部材１０７によってしごいて外部に取り出すようになされている。（例えば特許文献１参照）。
【特許文献１】特開平５−２２８０１８号公報
【発明の開示】
【発明が解決しようとする課題】
【０００４】
このように、キャップを持ってブラシ本体を塗布液容器から引き抜いたとき、芯材に植毛されたブラシ毛材に付着した塗布液によりまつ毛に塗布液を塗布するが、個々の使用者が好む塗布は必ずしも同一ではなく、例えば、毛の主だった部分に塗布液を濃く塗布したり、目元や目尻のまつ毛、及び下まつ毛など、まつ毛のうち細く短い微細部に対して少量の塗布液を塗布したり、過剰に塗布した塗布液を取り除くために使用されるものがある。
【０００５】
また、近年、まつ毛にボリューム感を出すことが要求され、ブラシ本体に多量の塗布液を保持させ、まつ毛にマスカラを濃く塗布するようになされているものがある。
【０００６】
さらに、化粧を落とす場合もあり、この場合はブラシ毛材に洗浄液を付着させて、まつ毛に塗布したマスカラをブラシ毛材によって落とすように使用されることがある。
【０００７】
このように、個々の使用者が好む塗布は必ずしも同一ではなく、またマスカラの塗布に使用したり、マスカラの洗浄に使用したりしており、簡単な構成で、多様な塗布に使用することができれば、使用者はその中から好みに合った使用ができる。
【０００８】
この発明は、かかる点に鑑みなされたもので、簡単な構成で塗布液を塗布対象毛の部位に対して多様な塗布が可能な液塗布具を提供することを目的としている。
【課題を解決するための手段】
【０００９】
前記課題を解決し、かつ目的を達成するために、この発明は、以下のように構成した。
【００１０】
請求項１に記載の発明は、
キャップに設けられ、キャップ内部から軸方向に延びる支持シャフトと、
前記支持シャフトに着脱可能である交換シャフトと、
前記交換シャフトの先端に設けられ、ブラシ毛材を有するブラシ部材と、
を備え、
前記ブラシ部材を設けた交換シャフトが、前記支持シャフトに対して交換可能であることを特徴とする液塗布具である。
【００１１】
請求項２に記載の発明は、
前記交換シャフトには、異なる形態のブラシ部材が設けられ、
前記異なる形態のブラシ部材を設けた交換シャフトが、前記支持シャフトに対して交換可能であることを特徴とする請求項１に記載の液塗布具である。
【発明の効果】
【００１２】
前記構成により、この発明は、以下のような効果を有する。
【００１３】
請求項１に記載の発明では、ブラシ部材を設けた交換シャフトが、支持シャフトに対して交換可能であり、個々の使用者が好みに応じて種々の形態のブラシ部材を設けた交換シャフトに交換することができ、簡単な構成で塗布液を塗布対象毛の部位に対して多様な塗布を行うことができる。
【００１４】
請求項２に記載の発明では、異なる形態のブラシ部材を設けた交換シャフトが、支持シャフトに対して交換可能であり、塗布液を塗布対象毛の部位に対して多様な塗布を行うことができる。
【発明を実施するための最良の形態】
【００１５】
以下、この発明の液塗布具の実施の形態について説明する。この発明の実施の形態は、発明の最も好ましい形態を示すものであり、この発明はこれに限定されない。
［第１の実施の形態］
この第１の実施の形態の液塗布具を、図１乃至図４に基づいて説明する。図１は液塗布具を示す断面図、図２は支持シャフトを示す図、図３は交換シャフトを示す図、図４は他の交換シャフトを示す図である。
【００１６】
この実施の形態の液塗布具１は、液塗布具本体１０と塗布液貯蔵部５０とを有する。
【００１７】
（液塗布具本体の構成）
液塗布具本体１０は円筒形状のキャップ１１を有し、キャップ１１は、内側の略中央に環状係合溝１１ａが円周方向に形成され、さらに開口側には雄ねじ１１ｂが形成されている。キャップ１１の環状係合溝１１ａには、支持シャフト１２に設けられた環状係合突部１２ａが係合し、キャップ１１に支持シャフト１２が設けられる。
【００１８】
支持シャフト１２は樹脂で一体成形され、図２に示すように、取付部１２ｂの内部に凹み部１２ｃが形成され、外部に円周方向に環状係合突部１２ａが形成されている。取付部１２ｂの取付側には外側テーパ面１２ｄが形成されている。取付部１２ｂの外部には、リブ１２ｅが環状係合突部１２ａから外側テーパ面１２ｄに亘って延びるように軸方向に形成されている。
【００１９】
取付部１２ｂはキャップ１１の内側に装着して固定され、環状係合突部１２ａを環状係合溝１１ａに係合して抜け止めされ、リブ１２ｅがキャップ１１の内側に圧接して回り止めとなっている。
【００２０】
取付部１２ｂの軸心部には、支持部１２ｆが軸方向に延びるように形成されている。支持部１２ｆには、軸方向の全長に亘ってスリット１２ｆ１が形成され、先端部には外側テーパ面１２ｆ２が形成され、外部の対称位置には軸方向に延びる平面１２ｆ３が形成されている。支持部１２ｆの先端側には突起１２ｆ４が形成され、この突起１２ｆ４は軸方向の両側にテーパ面１２ｆ４１，１２ｆ４２が形成されている。
【００２１】
支持シャフト１２には、交換シャフト１３が着脱可能であり、交換シャフト１３は、図３に示すように樹脂で一体成形され、係合部１３ａと、シャフト部１３ｂとを有する。係合部１３ａの径が、シャフト部１３ｂの径より大きくなっており、係合部１３ａの径を大きくすることで支持シャフト１２の支持部１２ｆに簡単かつ確実に係合することができるようになっている。係合部１３ａには、係合穴１３ａ１が形成され、この係合穴１３ａ１は、支持シャフト１２の支持部１２ｆに係合可能な形状になっており、内部の対称位置には軸方向に延びる平面１３ａ１１が形成されている。
【００２２】
係合部１３ａには、支持部１２ｆの突起１２ｆ４と対向する位置に開口１３ａ２が形成されている。係合部１３ａの係合穴１３ａ１を支持部１２ｆに挿入すると、突起１２ｆ４のテーパ面１２ｆ４２によって容易に挿入でき、係合穴１３ａ１の内壁が突起１２ｆ４を半径方向内側に押すことで、支持部１２ｆが樹脂の弾性力によってスリット１２ｆ１を狭くする方向へ撓む。そして、係合部１３ａは、突起１２ｆ４が係合部１３ａの開口１３ａ２に支持部１２ｆが樹脂の弾性力によって元の形状に復帰して係合することで抜け止めされ、かつ回り止めとなっている。
【００２３】
係合部１３ａを支持部１２ｆに挿入するときの位置決めは、係合部１３ａの平面１３ａ１１と支持部１２ｆの平面１２ｆ３とによって行われ、しかも係合部１３ａは支持部１２ｆの外側テーパ面１２ｆ２に案内されて円滑に挿入される。
【００２４】
シャフト部１３ｂの先端には、軸心に取付穴１３ｂ１が形成され、この取付穴１３ｂ１にブラシ毛材１４ａを有するブラシ部材１４の芯材１４ｂがねじ込み、あるいは圧入して設けられている。また、ブラシ部材１４は、樹脂で交換シャフト１３と一体に成形されたものでも良い。
【００２５】
支持シャフト１２に着脱可能である交換シャフト１３は、図１乃至図３に示すように、ブラシ毛材１４ａの先端のみを細くしたもの以外に、図４（ａ）に示すように、ブラシ毛材１４ａの全体が同じ長さで軸方向に溝１４ｃを有するもの、あるいは図４（ｂ）に示すように、ブラシ毛材１４ａの軸方向に溝１４ｃを有し、先端には溝を設けないで細くしたものなどがある。このように異なる形態のブラシ部材１４を設けた交換シャフト１３が用いられ、異なる形態のブラシ部材１４の種類は特に限定されない。例えば、ブラシ毛材１４ａの細さが大小で異なるもの、また円筒形、Ｈ形状、四角形状など断面形状が異なるもの、硬さが異なるもの、長さが異なるもの、更には材質が異なるものなどがある。
（塗布液貯蔵部の構成）
塗布液貯蔵部５０は、底の塞がった円筒形状の容器本体５１を有し、図１に示すように、取出口５１ａが上部に設けられており、取出口５１ａには雄ねじ５１ｂが形成され、キャップ１１の雄ねじ１１ｂが螺着される。取出口５１ａの内壁には、略円筒形状のしごき部材５２の引掛部５２ａが密接している。しごき部材５２は柔軟性を持ったゴム材でなり、しごき部５２ｂを有する。また、容器本体５１は、内部にマスカラでなる塗布液６０を保持し、塗布液６０は交換シャフト１３のシャフト部１３ｂが浸る位置であり、係合部１３ａに塗布液６０が付着することがないようになっており、交換シャフト１３の交換が容易であると共に、シャフト部１３ｂを持って塗布することができる。
（使用方法）
このように、ブラシ部材１４を設けた交換シャフト１３が、支持シャフト１２に対して交換可能であり、個々の使用者が好みに応じて種々の形態のブラシ部材１４を設けた交換シャフト１３に交換する。
【００２６】
液塗布具本体１０は、塗布液貯蔵部５０に差し込まれたとき、交換シャフト１３のブラシ部材１４のブラシ毛材１４ａ間に塗布液６０が浸された状態になる。
【００２７】
この状態において、使用者がキャップ１１を手にとって容器本体５１から液塗布具本体１０を引き抜くと、しごき部材５２のしごき部５２ｂが液塗布具本体１０をしごくことにより、余分な塗布液６０がしごき落とされた状態で容器本体５１から外部に取り出される。
【００２８】
使用者は、例えばブラシ毛材１４ａをまつ毛に触れさせながら、まつ毛に沿うように液塗布具本体１０を回転させると、ブラシ毛材１４ａに保持されている多量の塗布液６０をまつ毛に塗り付けられる。
【００２９】
このようにして、液塗布具１が使用されるが、個々の使用者が好む塗布は必ずしも同一ではない。このため、例えば、図１乃至図３に示す交換シャフト１３のブラシ部材１４に代えて図４（ａ）に示す交換シャフト１３を使用する場合には、交換シャフト１３を手にとって引くと、係合穴１３ａ１の内壁がテーパ面１２ｆ４１によって突起１２ｆ４に乗り上げる。このため、係合穴１３ａ１の内壁が突起１２ｆ４を半径方向内側に押し、支持部１２ｆが樹脂の弾性力によってスリット１２ｆ１を狭くする方向へ撓み容易に引く抜くことができる。
【００３０】
図４（ａ）に示す交換シャフト１３を支持シャフト１２に装着して使用すると、ブラシ部材１４の溝に多量の塗布液６０を保持させることができ、まつ毛にマスカラを濃く塗布し、まつ毛にボリューム感を出すことができる。
【００３１】
また、図４（ｂ）に示す交換シャフト１３を支持シャフト１２に装着して使用すると、毛の主だった部分に塗布液を濃く塗布したり、目元や目尻のまつ毛、及び下まつ毛など、まつ毛のうち細く短い微細部に対して少量の塗布液を塗布したり、過剰に塗布した塗布液６０を取り除くために使用される。
【００３２】
また、化粧を落とす場合もあり、この場合は洗浄に有効な交換シャフト１３に交換し、ブラシ毛材１４に洗浄液を付着させて、まつ毛に塗布したマスカラをブラシ毛材１４によって落とすように使用される。
【００３３】
また、交換シャフト１３は、キャップ１１に装着しないで手で持って、塗布や洗浄に使用することもできる。
【００３４】
このように、液塗布具１は、交換シャフト１３のみを交換する簡単な構成で、使用者の好みのブラシ部材１４を用いて塗布液を塗布対象毛の部位に対して多様な塗布を行うことができる。
（第２の実施の形態）
液塗布具１の第２の実施の形態を、図５乃至図８に基づいて説明する。図５は支持シャフトを示す図、図６は支持シャフトの側面図、図７は交換シャフトを示す図、図８は交換シャフトの側面図であり、図１乃至図４との対応部分に同一符号を付して示す。
【００３５】
支持シャフト１２は、図５及び図６に示すように、支持部１２ｆの基部側に凹み部１２ｆ５が形成され、係合部１３ａの係合穴１３ａ１を支持部１２ｆに挿入するとき、係合穴１３ａ１が突起１２ｆ４を半径方向内側に押すことで、支持部１２ｆが凹み部１２ｆ５によって容易にスリット１２ｆ１を狭くする方向へ撓むようになっている。
【００３６】
支持部１２ｆは、スリット１２ｆ１の先端側にテーパ面１２ｆ１１が形成され、先端部には外側曲面１２ｆ２１が形成されている。
【００３７】
交換シャフト１３は、図７及び図８に示すように、係合部１３ａの係合穴１３ａ１は、先端側に取付穴１３ａ１２が形成されている。
【００３８】
係合部１３ａの係合穴１３ａ１を支持部１２ｆに挿入すると、突起１２ｆ４のテーパ面１２ｆ４２によって容易に挿入でき、係合穴１３ａ１が突起１２ｆ４を半径方向内側に押すことで、支持部１２ｆがスリット１２ｆ１を狭くする方向へ撓む。そして、取付穴１３ａ１２に支持部１２ｆの先端部が外側曲面１２ｆ２１に案内され、撓むようにして容易に入り込み確実に保持される。係合部１３ａは、突起１２ｆ４が係合部１３ａの開口１３ａ２に係合することで抜け止めされ、かつ回り止めとなっている。
【００３９】
交換シャフト１３を交換する場合には、交換シャフト１３を手にとって引くと、係合穴１３ａ１の内壁がテーパ面１２ｆ４１によって突起１２ｆ４に乗り上げる。このため、係合穴１３ａ１の内壁が突起１２ｆ４を半径方向内側に押し、支持部１２ｆが樹脂の弾性力によってスリット１２ｆ１を狭くする方向へ撓み容易に引く抜くことができる。
（第３の実施の形態）
液塗布具１の第３の実施の形態を、図９乃至図１２に基づいて説明する。図９は支持シャフトを示す図、図１０は支持シャフトの側面図、図１１は交換シャフトを示す図、図１２は交換シャフトの側面図であり、図１乃至図４との対応部分に同一符号を付して示す。
【００４０】
支持シャフト１２は、図９及び図１０に示すように、取付部１２ｂの取付側１２ｂ１より環状係合突部１２ａが形成される側１２ｂ２を大径に形成しており、環状係合突部１２ａが形成される側１２ｂ２が撓みキャップ１１の内側に密着して装着される。
【００４１】
支持部１２ｆは、取付部１２ｂの取付側１２ｂ１より軸方向に延び、支持部１２ｆの基部側にリブ１２ｆ６が両側に形成されている。
【００４２】
交換シャフト１３は、図１１及び図１２に示すように、係合部１３ａの基部側に対向する位置に係止開口１３ａ４が形成され、係止開口１３ａ４は、ガイド部１３ａ４１と、押圧部１３ａ４２とを有している。係合部１３ａの係合穴１３ａ１は、先端側に取付突起１３ａ１３が形成されている。
【００４３】
係合部１３ａの係合穴１３ａ１を支持部１２ｆに挿入すると、突起１２ｆ４のテーパ面１２ｆ４２によって容易に挿入でき、係合穴１３ａ１が突起１２ｆ４を半径方向内側に押すことで、支持部１２ｆがスリット１２ｆ１を狭くする方向へ撓む。そして、取付穴１３ａ１２の取付突起１３ａ１３が支持部１２ｆのスリット１２ｆ１にテーパ面１２ｆ１１に案内され、支持部１２ｆが外側に広がるように撓み、容易に入り込み確実に保持される。
【００４４】
また、支持部１２ｆのリブ１２ｆ６が、係合部１３ａの係止開口１３ａ４のガイド部１３ａ４１に案内されて入り込み、押圧部１３ａ４２によって押圧されて回り止めとなっている。
【００４５】
さらに、係合部１３ａは、突起１２ｆ４が係合部１３ａの開口１３ａ２に係合することで抜け止めされ、かつ回り止めとなっている。
【００４６】
交換シャフト１３を交換する場合には、交換シャフト１３を手にとって引くと、係合穴１３ａ１の内壁がテーパ面１２ｆ４１によって突起１２ｆ４に乗り上げる。このため、係合穴１３ａ１の内壁が突起１２ｆ４を半径方向内側に押し、支持部１２ｆが樹脂の弾性力によってスリット１２ｆ１を狭くする方向へ撓み容易に引く抜くことができる。
（第４の実施の形態）
液塗布具１の第４の実施の形態を、図１３に基づいて説明する。図１３は交換シャフトの装着状態を示す図であり、図１乃至図４との対応部分に同一符号を付して示す。
【００４７】
支持シャフト１２は、取付部１２ｂから支持部１２ｆが円柱状で軸方向に延びており、支持部１２ｆの基部に一対の突起１２ｆ２０が形成されている。
【００４８】
交換シャフト１３は、係合部１３ａの係合穴１３ａ１が支持部１２ｆに係合する形状に形成され、係合部１３ａの基部にＬ形状の係合開口１３ａ２０が形成されている。係合開口１３ａ２０は、軸方向の溝部１３ａ２１と、軸方向の溝部１３ａ２１に連続する周方向の溝部１３ａ２２を有している。
【００４９】
係合部１３ａの係合穴１３ａ１を支持部１２ｆに挿入すると、係合開口１３ａ２０の軸方向の溝部１３ａ２１に突起１２ｆ２０が挿入され、交換シャフト１３を右方向に回転すると、周方向の溝部１３ａ２２に突起１２ｆ２０が挿入されることで抜け止めされ、かつ回り止めとなっている。
【００５０】
交換シャフト１３を交換する場合には、交換シャフト１３を手にとって引くと、交換シャフト１３を左方向に回転すると、周方向の溝部１３ａ２２から突起１２ｆ２０が外れ、そのまま引き抜くことができる。
（第５の実施の形態）
液塗布具１の第５の実施の形態を、図１４に基づいて説明する。図１４は交換シャフトの装着状態を示す図であり、図１乃至図４との対応部分に同一符号を付して示す。
【００５１】
支持シャフト１２は、取付部１２ｂから支持部１２ｆが筒状で軸方向に延びており、支持部１２ｆの内部に板ばね４０が設けられている。
【００５２】
交換シャフト１３は、係合部１３ａが支持部１２ｆに挿入可能な筒状形状に形成されている。
【００５３】
交換シャフト１３は、係合部１３ａを支持部１２ｆに挿入すると、板ばね４０がばね力で係合部１３ａを保持して抜け止めされ、かつ回り止めとなっている。交換する場合には、手で交換シャフト１３を引くことで、係合部１３ａが板ばね４０のばね力に抗して抜け、簡単に別の交換シャフト１３と交換することができる。
（第６の実施の形態）
液塗布具１の第６の実施の形態を、図１５に基づいて説明する。図１５は交換シャフトの装着状態を示す図であり、図１乃至図４との対応部分に同一符号を付して示す。
【００５４】
支持シャフト１２は、取付部１２ｂから支持部１２ｆが軸方向に延びており、先端に係合細部１２ｆ３０が形成されている。係合細部１２ｆ３０には、一対の凹み部１２ｆ３１が形成されている。
【００５５】
交換シャフト１３は、係合部１３ａの基部に係合開口１３ａ３０が形成され、係合開口１３ａ３０の入り口側には一対の突起１３ａ３１が形成されている。
【００５６】
交換シャフト１３は、係合部１３ａを支持部１２ｆに挿入すると、係合細部１２ｆ３０が一対の突起１３ａ３１に案内されて係合部１３ａの係合開口１３ａ３０に入り込み、一対の突起１３ａ３１が一対の凹み部１２ｆ３１に係合して抜け止めされ、かつ回り止めとなっている。交換する場合には、手で交換シャフト１３を引くことで、一対の突起１３ａ３１が一対の凹み部１２ｆ３１から抜け、簡単に別の交換シャフト１３と交換することができる。
【００５７】
なお、支持シャフト１２に係合開口を形成し、交換シャフト１３に係合細部を形成して同様に着脱可能な構成にしてもよい。
【産業上の利用可能性】
【００５８】
この発明は、特にマスカラブラシや毛染め用ブラシのように、塗布対象毛にマスカラや毛染め液等の塗布液を塗布する液塗布具に適用でき、簡単な構成で塗布液を塗布対象毛の部位に対して多様な塗布が可能である。
【図面の簡単な説明】
【００５９】
【図１】第１の実施の形態の液塗布具を示す断面図である。
【図２】支持シャフトを示す図である。
【図３】交換シャフトを示す図である。
【図４】他の交換シャフトを示す図である。
【図５】第２の実施の形態の支持シャフトを示す図である。
【図６】支持シャフトの側面図である。
【図７】交換シャフトを示す図である。
【図８】交換シャフトの側面図である。
【図９】第３の実施の形態の支持シャフトを示す図である。
【図１０】支持シャフトの側面図である。
【図１１】交換シャフトを示す図である。
【図１２】交換シャフトの側面図である。
【図１３】第４の実施の形態の交換シャフトの装着状態を示す図である。
【図１４】第５の実施の形態の交換シャフトの装着状態を示す図である。
【図１５】第６の実施の形態の交換シャフトの装着状態を示す図である。
【図１６】従来の液塗布具を示す図である。
【符号の説明】
【００６０】
１  液塗布具
１０  液塗布具本体
１１  キャップ
１２  支持シャフト
１２ａ  環状係合突部
１２ｂ  取付部
１２ｆ  支持部
１３  交換シャフト
１３ａ  係合部
１３ｂ  シャフト部
１４  ブラシ部材
１４ａ  ブラシ毛材
１４ｂ  心材
５０  塗布液貯蔵部
５１  容器本体
６０  塗布液
【図１】
2009213680.tif 000003
【図２】
2009213680.tif 000004
【図３】
2009213680.tif 000005
【図４】
2009213680.tif 000006
【図５】
2009213680.tif 000007
【図６】
2009213680.tif 000008
【図７】
2009213680.tif 000009
【図８】
2009213680.tif 000010
【図９】
2009213680.tif 000011
【図１０】
2009213680.tif 000012
【図１１】
2009213680.tif 000013
【図１２】
2009213680.tif 000014
【図１３】
2009213680.tif 000015
【図１４】
2009213680.tif 000016
【図１５】
2009213680.tif 000017
【図１６】
2009213680.tif 000018